(57)【特許請求の範囲】
【請求項１】
レンタル商品（Ｍ）の収納ケース（１）と、この収納ケース（１）の一側縁（１ａ）にヒンジ（２）を介して一側縁（３ａ）が回動自在に取り付けられた蓋（３）と、この蓋（３）で閉じた状態の前記収納ケース（１）と蓋（３）との他側周縁部（１ｂ，３ｂ）に、収納ケース（１）に収納されたレンタル商品（Ｍ）の一部（ｍ）に対向する位置まで嵌合される万引き防止機能を有する嵌合ケース（４）とよりなり、
この嵌合ケース（４）には、押動することにより前記収納ケース（１）と蓋（３）との他側周縁部（１ｂ，３ｂ）に、前記収納ケース（１）の厚み方向に穿設した錠片受孔（１ｃ，３ｃ）に錠片（５ａ）が係合するとともに、逆動防止爪（５ｂ、５ｂ）が、前記嵌合ケース（４）に穿設した爪係合孔（４ａ、４ａ）に挿入し、施錠外し部材を使用しなければ錠片（５ａ）が抜けない錠部材（５）を設けたことを特徴とするレンタル商品の万引き防止ケース。
【請求項２】
レンタル商品（Ｍ）の収納ケース（１）と、この収納ケース（１）をスライドさせて挿入する外ケース（６）と、この外ケース（６）に収納ケース（１）が挿入された前記外ケース（６）の他側周縁部（６ａ）に、収納ケース（１）に収納されたレンタル商品（Ｍ）の一部（ｍ）に対向する位置まで嵌合される万引き防止機能を有する嵌合ケース（４）とよりなり、
この嵌合ケース（４）には、押動することにより前記収納ケース（１）と外ケース（６）との他側周縁部（１ｂ，６ａ）に、前記収納ケース（１）の厚み方向に穿設した錠片受孔（１ｃ，６ｂ）に錠片（５ａ）が係合するとともに、逆動防止爪（５ｂ、５ｂ）が、前記嵌合ケース（４）に穿設した爪係合孔（４ａ、４ａ）に挿入し、施錠外し部材を使用しなければ前記錠片（５ａ）が抜けない錠部材（５）を設けたことを特徴とするレンタル商品の万引き防止ケース。
【発明の詳細な説明】
【０００１】
【発明の属する技術分野】
この発明は、例えばＣＤ（コンパクトディスク）やＤＶＤやビデオテープなどを、レンタル店舗で陳列するための、レンタル商品の万引き防止ケースに関するものである。
【０００２】
【従来の技術】
レンタル店舗において展示されているＣＤやビデオテープやＤＶＤなどのレンタル商品が、万引きされるのを防止するために、レンタル商品を取り出せないようにする錠付のケースに電波式や磁気式や電磁波式の万引き防止タグを取り付けて展示し、レンタル代金の清算と引換に、前記ケースの全体あるいは万引き防止タグのみを取り外して、レンタル商品を顧客にレンタルしている。
一方、万引き防止タグが取り外されていないレンタル商品をレンタル店舗から持ち出そうとすると、店の出口に設けた万引き防止装置で万引き防止タグが検知されて、未清算のままレンタル商品が持ち出されるのを防止するようになっている。
【０００３】
図５は従来のレンタル商品の万引き防止ケースを示す図であり、（ａ）図は蓋を開けた状態の斜視図、（ｂ）図は蓋を閉めて錠部材を係合する前の状態を示す斜視図、（ｃ）図は蓋を閉めて錠部材を係合した状態を示す斜視図である。
この万引き防止ケース１１は、レンタル商品Ｍの収納ケース１１ａと蓋１１ｂとで形成されている。また、閉じた蓋１１ｂが開かないように、蓋１１ｂを閉蓋固定する、錠片１０ａと、万引き防止装置で検知される万引き防止タグ１０ｂとを有する錠部材１０の前記錠片１０ａが、前記万引き防止ケース１１の収納ケース１１ａと蓋１１ｂとの一側縁部に設けた錠片受孔１１ｃ，１１ｃに係合固定して、蓋１１ｂが開かないように構成されている。前記錠部材１０を取り外す場合には、図示しない施錠外し部材を使用する。
また、図６は従来の販売商品の万引き防止ケースを示す図であり、（ａ）図は商品収納ケース１２にレンタル商品Ｍを収納して蓋１３を閉める前の斜視図であり、（ｂ）図は、蓋１３を閉めた商品収納ケース１２のほぼ全体を包み込む形状で、錠部材１５を有し、店の出口に設けた万引き防止装置で検知される万引き防止タグ１４ａを取り付けた万引き防止ケース１４の斜視図であり、この万引き防止ケース１４の前面は周縁部１４ｂを残して開口されて、挿入された商品収納ケース１２の前面の大部分が見えるようになっており、この万引き防止ケース１４の後面の内面１４ｃに前記万引き防止タグ１４ａが取り付けられている。（ｃ）図は前記万引き防止ケース１４に商品収納ケース１２を挿入した状態の斜視図である。
【０００４】
【発明が解決しようとする課題】
前記従来の前者の万引き防止ケース１１においては、その開口部（収納ケース１１ａと蓋１１ｂとの当接部）を錠部材１０で固定した状態（図５の（ｃ）参照）で、レンタル商品Ｍに比べて、万引き防止ケース１１の幅Ｗが大きいために、万引き防止ケース１１の蓋１１ｂをこじ開けて、その隙間からレンタル商品が引き出されて、レンタル商品Ｍが万引きされるおそれがあった。
また、万引き防止ケース１１の蓋１１ｂがこじ開けられないようにするため、レンタル商品Ｍを収納する万引き防止ケース１１の収納ケース１１ａおよび蓋１１ｂをポリカーボネイトなどの強固な原料を使用して作ったり、原料を大量に使用して強度を強く作ると、製造コストが高くなるといった問題が生じる。
また、従来の後者のような販売商品の万引き防止ケースをレンタル用に使用すると、商品収納ケース１２より万引き防止ケース１４の方が大きいので、清算場所で取り外した万引き防止ケース１４の保管スペースが大きく必要になり、また、万引き防止ケース１４が商品収納ケース１２より大きいために、製造コストが高くなるといった問題が生じる。
この発明は、前者の従来のように、蓋がこじ開けられて、その隙間からレンタル商品が引き出されて、レンタル商品が万引きされる問題点や、万引き防止ケースを作るのに製造コストが高くなるという問題を解決した、レンタル商品の万引き防止ケースを提供することを目的としたものである。
また、この発明は、従来の後者のように、万引き防止ケースを取り外すと、その保管スペースが大きく必要になり、また、万引き防止ケースの製造コストも高くなるという問題を解決した、レンタル商品の万引き防止ケースを提供することを目的としたものである。
【０００５】
【問題を解決するための手段】
前記目的を達成するために、請求項１に係る発明は、図１を参照して説明すると、レンタル商品Ｍの収納ケース１と、この収納ケース１の一側縁１ａにヒンジ２を介して一側縁３ａが回動自在に取り付けられた蓋３と、この蓋３で閉じた状態の前記収納ケース１と蓋３との他側周縁部１ｂ，３ｂに、収納ケース１に収納されたレンタル商品Ｍの一部ｍに対向する位置まで嵌合される万引き防止機能を有する嵌合ケース４とよりなり、この嵌合ケース４には、押動することにより前記収納ケース１と蓋３との他側周縁部１ｂ，３ｂに、前記収納ケース１の厚み方向に穿設した錠片受孔１ｃ，３ｃに錠片５ａが係合するとともに、逆動防止爪５ｂ、５ｂが、前記嵌合ケース４に穿設した爪係合孔４ａ、４ａに挿入し、施錠外し部材を使用しなければこの錠片５ａが抜けない錠部材５を設けたことを特徴とするレンタル商品の万引き防止ケースとしたものである。
【０００６】
また、請求項２に係る発明は、図２を参照して説明すると、レンタル商品Ｍの収納ケース１と、この収納ケース１をスライドさせて挿入する外ケース６と、この外ケース６に収納ケース１が挿入された前記外ケース６の他側周縁部６ａに、収納ケース１に収納されたレンタル商品Ｍの一部ｍに対向する位置まで嵌合される万引き防止機能を有する嵌合ケース４とよりなり、この嵌合ケース４には、押動することにより前記収納ケース１と外ケース６との他側周縁部１ｂ，６ａに、前記収納ケース１の厚み方向に穿設した錠片受孔１ｃ，６ｂに錠片５ａが係合するとともに、逆動防止爪５ｂ、５ｂが、前記嵌合ケース４に穿設した爪係合孔４ａ、４ａに挿入し、施錠外し部材を使用しなければ前記錠片５ａが抜けない錠部材５を設けたことを特徴とするレンタル商品の万引き防止ケースとしたものである。
【０００７】
【発明の実施例】
以下、この発明の各実施の形態を、図面を参照して詳細に説明する。
図１はこの発明の請求項１に係るレンタル商品の万引き防止ケースを示す図であり、（ａ）図は蓋を開けた状態の斜視図、（ｂ）図は蓋を閉めて万引き防止機能を有する嵌合ケースを嵌合する前の状態を示す斜視図、（ｃ）図は蓋を閉めて嵌合ケースを嵌合した状態を示す斜視図である。
このレンタル商品の万引き防止ケースは、例えばプラスチックで形成されたレンタル商品Ｍの収納ケース１と、この収納ケース１の一側縁１ａにヒンジ２を介して一側縁３ａが回動自在に取り付けられた、例えばプラスチックで形成された蓋３と、この蓋３で閉じた状態の前記収納ケース１と蓋３との他側周縁部１ｂ，３ｂに、収納ケース１に収納されたレンタル商品Ｍの一部ｍに対向する位置まで嵌合される例えばプラスチックで形成された万引き防止機能を有する嵌合ケース４とよりなり、この嵌合ケース４には、押動することにより前記収納ケース１と蓋３との他側周縁部１ｂ，３ｂに、前記収納ケース１の厚み方向に穿設した錠片受孔１ｃ，３ｃに錠片５ａが係合するとともに、逆動防止爪５ｂ、５ｂが、前記嵌合ケース４に穿設した爪係合孔４ａ、４ａに挿入し、錠外し部材を使用しなければこの錠片５ａが抜けない錠部材５を設けている。なお、図１の（ｂ）に示す符号７は、店の出口に設けた万引き防止装置で検知される万引き防止タグである。
【０００８】
図２はこの発明の請求項２に係るレンタル商品の万引き防止ケースを示す図であり、（ａ）図は外ケースにレンタル商品の収納ケースを挿入する前の状態を示す斜視図、（ｂ）図はレンタル商品の収納ケースを挿入した外ケースに万引き防止機能を有する嵌合ケースを嵌合する前の状態を示す斜視図である。
このレンタル商品の万引き防止ケースは、例えばプラスチックで形成されたレンタル商品Ｍの収納ケース１と、この収納ケース１をスライドさせて挿入する例えばプラスチックで形成された外ケース６と、この外ケース６に収納ケース１が挿入された前記外ケース６の他側周縁部６ａに、収納ケース１に収納されたレンタル商品Ｍの一部ｍに対向する位置まで嵌合される万引き防止機能を有する嵌合ケース４とよりなり、この嵌合ケース４には、押動することにより前記収納ケース１と外ケース６との他側周縁部１ｂ，６ａに、前記収納ケース１の厚み方向に穿設した錠片受孔１ｃ，６ｂに錠片５ａが係合するとともに、逆動防止爪５ｂ、５ｂが、前記嵌合ケース４に穿設した爪係合孔４ａ、４ａに挿入し、施錠外し部材を使用しなければ前記錠片５ａが抜けない錠部材５を設けたことを特徴とするレンタル商品の万引き防止ケースとしたものである。なお、図２の（ｂ）に示す符号７は、店の出口に設けた万引き防止装置で検知される万引き防止タグである。
【０００９】
図３は、図２に示すレンタル商品の収納ケース１が挿入された外ケース６と、この外ケース６に取り付ける万引き防止機能を有する嵌合ケース４と、錠部材５と、施錠外し部材８とを示す図である。この図３では錠部材５が施錠されていない状態を示しており、前記外ケース６に嵌合ケース４を嵌合して、錠部材５を押動すると、錠片５ａが外ケース６の他側周縁部６ａに穿設した錠片受孔６ｂに係合するとともに、錠部材５に形成した逆動防止爪５ｂ，５ｂが、嵌合ケース４に穿設した爪係合孔４ａ，４ａに挿入して抜け出なくなる。このようにして施錠が行われる。
前記施錠外し部材８には、逆動防止爪５ｂの先端に当接してこれを押動するピン８ａと、このピン８ａの両側に設け逆動防止爪５ｂの可撓性爪５ｂ′を押し狭まめるピン８ｂ，８ｂが設けられているので、この施錠外し部材８を、施錠された錠部材５に当てて押動すると、前記ピン８ｂ，８ｂで可撓性爪５ｂ′，５ｂ′を押し狭まめるとともに、ピン８ａで逆動防止爪５ｂの先端を押して、施錠を外すことができる。
【００１０】
図４は、前記嵌合ケース４および錠部材５の各実施の形態を示す図であり、図４の（ａ）は袋状の嵌合ケース４の底近傍に錠部材５を設けたものである。図４の（ｂ）は嵌合ケース４の一側部に錠部材５を設けたものであり、図４の（ｃ）は嵌合ケース４の両側部に錠部材５，５を設けたものである。そして、これらの実施の形態においては、前記錠部材５の錠片が係合する錠片受孔３ｃが、レンタル商品Ｍの収納ケース１の蓋３の他側周縁部３ｂに穿設されている。
【００１１】
前記のように構成した嵌合ケース４を、前記収納ケース１と蓋３との他側周縁部１ｂ，３ｂに、または、収納ケース１が挿入された外ケース６の他側周縁部６ａに嵌合し、嵌合ケース４に設けた錠部材５を押動して施錠すると、錠片５ａが前記錠片受孔３ｃに係合して、前記施錠外し部材８を用いて施錠を外さない限り、嵌合ケース４の嵌合を外すことができない。
そして、この嵌合ケース４の内面には、万引き防止タグ７が設けられているので、嵌合ケース４を取り外さないままレンタル商品をレンタル店舗から持ち出すと、レンタル店舗の出口に設けた万引き防止装置によって、万引き防止タグ７が検出され、万引きを防止することができる。
【００１２】
レンタル料金の清算と引き換えに、施錠外し部材８を用いて嵌合ケース４に設けた施錠を外し、嵌合ケース４を取り外すと、万引き防止タグ７も外れることになり、レンタル商品をレンタル店舗から持ち出しても、その出口に設けた万引き防止装置は作動しない。
【００１３】
前記嵌合ケース４は、収納ケース１と蓋３との他側周縁部１ｂ，３ｂに、または、収納ケース１が挿入された外ケース６の他側周縁部６ａに、収納ケース１に収納されたレンタル商品Ｍの一部ｍに対向する位置まで嵌合されるので、前記収納ケース１と蓋３との間、または収納ケース１と外ケース６との間をこじ開けて、その隙間からレンタル商品を引き出しても、レンタル商品Ｍが前記嵌合ケース４に引っ掛かるので、前記こじ開けた隙間からレンタル商品Ｍが抜き取られることがなくなる。
従って、前記収納ケース１と蓋３との間、または収納ケース１と外ケース６との間をこじ開けられてもよく、万引き防止ケースを製造する原料は、こじ開けられないように、例えばポリカーボネイトなどの強固な原料を使用したり、大量の原料を使用して強度を強く作る必要もなく、万引き防止ケースの製造コストを安くすることができる。
【００１４】
【発明の効果】
この発明は、以上説明したようなレンタル商品の万引き防止ケースとしたので、前記万引き防止機能を有する嵌合ケースが、レンタル商品の収納ケースと蓋との他側周縁部に、または、収納ケースが挿入された外ケースの他側周縁部に、収納ケースに収納されたレンタル商品の一部に対向する位置まで嵌合されるので、前記収納ケースと蓋との間、または収納ケースと外ケースとの間をこじ開けられて、その隙間からレンタル商品が引き出されても、レンタル商品が前記嵌合ケースに引っ掛かるので、前記こじ開けた隙間からレンタル商品が抜き取られることがなくなる。
従って、前記収納ケースと蓋との間をこじ開けられてもよく、こじ開けられないように、万引き防止ケースを製造する原料は、例えばポリカーボネイトなどの強固な原料を使用したり、大量の原料を使用して強度を強く作る必要もなく、万引き防止ケースの製造コストを安くすることができる。
【図面の簡単な説明】
【図１】この発明の第１の実施の形態を説明する参照図である。
【図２】この発明の第２の実施の形態を説明する参照図である。
【図３】この発明の構成部材である嵌合ケースに設けた錠部材と、この錠部材の施錠を外す施錠外し部材を示す図である。
【図４】この発明の構成部材である嵌合ケースおよび錠部材の各実施の形態を示す図である。
【図５】従来のレンタル商品の万引き防止ケースを示す図である。
【図６】従来の販売商品の万引き防止ケースを示す図である。
【符号の説明】
１      収納ケース
１ａ    一側縁
１ｂ    他側周縁部
１ｃ    錠片受孔
２      ヒンジ
３      蓋
３ａ    一側縁
３ｂ    他側周縁部
３ｃ    錠片受孔
４      嵌合ケース
４ａ    爪係合孔
５      錠部材
５ａ    錠片
５ｂ    逆動防止爪
５ｂ′  可撓性爪
６      外ケース
６ａ    他側周縁部
６ｂ    錠片受孔
７      万引き防止タグ
８      施錠外し部材
８ａ    ピン
８ｂ    ピン
１０    錠部材
１０ａ  錠片
１０ｂ  万引き防止タグ
１１    万引き防止ケース
１１ａ  収納ケース
１１ｂ  蓋
１１ｃ  錠片受孔
１２    商品収納ケース
１３    蓋
１４    万引き防止ケース
１４ａ  万引き防止タグ１４ａ
１４ｂ  周縁部
Ｍ      レンタル商品
ｍ      レンタル商品の一部
【図１】
0004122123.tif 000002
【図２】
0004122123.tif 000003
【図３】
0004122123.tif 000004
【図４】
0004122123.tif 000005
【図５】
0004122123.tif 000006
【図６】
0004122123.tif 000007